(57)【要約】  回路基板の着脱及び配線を容易に行うことができるテレビレンズ装置を提供する。  鏡筒（１２）は、筐体（１３）に収納されている。この筐体（１２）には、蓋（１７）で開閉される開口（１６）が設けられている。鏡筒（１２）の後部（１２ｂ）上に、基板保持部（１５）が固定されている。この基板保持部（１５）は、配線基板（３１）上に、４個のコネクタ（３０）が鏡筒（１２）の軸方向に並んで取り付けられている。４枚の回基板（２１〜２４）は、開口（１６）を介して、鏡筒（１２）と直交する向きでコネクタ（３０）に挿入される。
2013035637.tif 000002
【特許請求の範囲】
【請求項１】
被写体像の結像を行う撮影光学系と、前記撮影光学系を保持する鏡筒と、前記撮影光学系及び前記鏡筒を覆って保護する筐体とを備えたテレビレンズ装置において、
前記テレビレンズ装置を制御するための複数枚の回路基板と、
前記鏡筒と前記筐体との間に形成される隙間内に、前記複数の回路基板が収納されるように、複数枚の回路基板を電気的に接続するとともに着脱自在に保持するための基板保持部と、
前記基板保持部に前記複数枚の回路基板を着脱可能にするために、前記筐体に形成された開口と、
前記開口を開閉するための蓋と、
を備えることを特徴とするテレビレンズ装置。
【請求項２】
前記各回路基板は、ほぼ板状をしており、その一辺に差込み部を有し、
前記基板保持部は、前記差込み部が差し込まれる差込み口を有する複数のコネクタと、前記撮影光学系の光軸に沿って並べた状態で各コネクタが取り付けられるとともに、前記各コネクタに差し込まれた前記各回路基板と電気的に接続する配線基板とを有すること、
を特徴とする請求項１記載のテレビレンズ装置。
【請求項３】
前記鏡筒は、径が大きい前部と径が小さい後部とを有する円筒であり、この後部に前記基板保持部が取り付けられており、
前記筐体は角筒をしている、
ことを特徴とする請求項２記載のテレビレンズ装置。
【請求項４】
前記コネクタは、前記光軸に対してほぼ直交する状態で、前記回路基板を保持することを特徴とする請求項２記載のテレビレンズ装置。
【請求項５】
前記各回路基板には、前記鏡筒の形状に応じた切り欠きが形成されていることを特徴とする請求項４記載のテレビレンズ装置。
【請求項６】
前記差込み部は、前記切り欠きの中央付近に形成されており、
前記基板保持部は、前記各差込み口の中心位置が前記鏡筒の中心軸とほぼ同じ高さになるように、前記鏡筒の側面部分に取り付けられている、
ことを特徴とする請求項５記載のテレビレンズ装置。
【請求項７】
前記差込み部は、前記切り欠きの上側又は下側の少なくとも一方に形成されており、
前記基板保持部は、前記差込み部に対応して前記各差込み口が前記鏡筒よりも上側又は下側の少なくとも一方に位置するように、前記鏡筒の側面部分に取り付けられている、
ことを特徴とする請求項５記載のテレビレンズ装置。
【請求項８】
前記各コネクタは、前記差込み口を前記開口に対面させる第１位置と、前記差込み口を前記開口に対して傾斜させる第２位置との間で回動するように、前記配線基板に回動自在に取り付けられていることを特徴とする請求項２記載のテレビレンズ装置。
【請求項９】
前記各コネクタは、前記各回路基板の表面が前記光軸にほぼ平行となる向きで、ほぼ同一面となるように、前記各回路基板を保持することを特徴とする請求項２記載のテレビレンズ装置。
【請求項１０】
前記蓋は、前記筐体に回動自在に取り付けられ、前記開口を露呈させて前記各回路基板の着脱を可能にする開き位置と、前記開口を塞ぐ閉じ位置との間で移動することを特徴とする請求項２記載のテレビレンズ装置。
【請求項１１】
前記各回路基板は、ソフトウェアによって任意の電子回路を設定することができる回路設定可能部を有し、形状及び電気的構成が共通の基板であることを特徴とする請求項１ないし１０のいずれか１項に記載のテレビレンズ装置。
【請求項１２】
前記撮影光学系は、フォーカスレンズ、変倍レンズ、補正レンズ、リレーレンズ、絞りを有することを特徴とする請求項１１記載のテレビレンズ装置。
【請求項１３】
前記複数の回路基板は、前記フォーカスレンズを移動して焦点調節を行うためのフォーカス制御回路、前記変倍レンズ及び補正レンズを移動して倍率調節を行うためのズーム制御回路、前記絞りを制御するためのアイリス制御回路のいずれか１つの電子回路に設定されていることを特徴とする請求項１２記載のテレビレンズ装置。
【発明の詳細な説明】
【技術分野】
【０００１】
本発明は、放送用テレビカメラ等に用いられるテレビレンズ装置に関するものである。
【背景技術】
【０００２】
放送用テレビカメラは、撮像管や撮像板を備え、スタジオ内等での室内撮影や、スポーツ中継等の屋外撮影に用いられる。この放送用テレビカメラには、四角形の箱形をしたテレビレンズ装置が着脱自在に取り付けられている（特許文献１参照）。【０００３】
テレビレンズ装置には、ケーブルなどを介してフォーカスデマンド部やズームデマンド部などの操作部が接続されている。これらの操作部からの指令に基づいて、テレビレンズ装置の焦点調節や倍率調節が行なわれる。また、テレビレンズ装置には、焦点調節や倍率調節の他に、絞り制御等を行うために、各種の電子回路が設けられている。【０００４】
テレビレンズ装置の全電子回路を一枚の回路基板で構成すると、この回路基板は、サイズが大きくなってテレビレンズ装置の筐体内に収納することが難しくなる。また、電子回路のどこか一箇所が故障した場合でも、全電子回路の交換となるため、メンテナンス性も悪い。【０００５】
そこで、テレビレンズ装置では、焦点調節用の制御回路基板、倍率調節用の制御回路基板のように、機能モジュール毎に回路基板を構成し、これらを内部で配線することによって、１つの電子回路を構成することが行われている。このモジュール方式は、各回路基板の小型化が可能であるために、筐体内への配置が容易になるとともに、故障した回路基板のみを交換すればよいので、メンテナンス性も向上する。
【先行技術文献】
【特許文献】
【０００６】
【特許文献１】特開２００８−１２４９１３号公報
【発明の概要】
【発明が解決しようとする課題】
【０００７】
特許文献１に記載されているように、テレビレンズ装置の筐体は、箱形（角筒）をしており、鏡筒の外周面の全体を覆っている。各回路基板は、鏡筒と筐体との間に形成される隙間に収納するために、鏡筒の側面に取り付けられている。このため、回路基板が故障した場合には、回路基板とともに鏡筒を筐体から取り出さなければならず、必ずしも作業性の良いものではなかった。また、各回路基板を鏡筒の側面に取り付けた後、各回路基板同士をケーブルなどで接続して配線しているために、配線の作業も非常に煩わしいものであった。【０００８】
本発明は、回路基板の着脱及び配線を容易に行うことができるテレビレンズ装置を提供することを目的とする。
【課題を解決するための手段】
【０００９】
上記目的を達成するため、本発明のテレビレンズ装置は、複数枚の回路基板と、基板保持部と、筐体の開口と、この開口を開閉する蓋とを備えている。筐体は、撮影光学系を保持する鏡筒を収納している。この鏡筒と筐体との間に形成される隙間内に、複数の回路基板が収納される。各回路基板は、基板保持部に電気的に接続されるとともに、着脱自在に保持される。開口は、各回路基板を基板保持部から着脱可能にしている。【００１０】
各回路基板は、ほぼ板状をしており、その一辺に差込み部を有することが好ましい。また、基板保持部は、差込み部が差し込まれる差込み口を有する複数のコネクタと、撮影光学系の光軸に沿って並べた状態で各コネクタが取り付けられるとともに、各コネクタに差し込まれた各回路基板と電気的に接続する配線基板とを有することが好ましい。【００１１】
鏡筒は、径が大きい前部と径が小さい後部とを有する円筒形をしており、この後部に基板保持部が取り付けられていることが好ましい。また、筐体は角筒をしていることが好ましい。【００１２】
コネクタは、撮影光学系の光軸に対してほぼ直交する状態で、回路基板を保持することが好ましい。各回路基板には、鏡筒の形状に応じた切り欠きが形成されていることが好ましい。【００１３】
差込み部は、切り欠きの中央付近に形成されていることが好ましい。また、基板保持部は、各差込み口の中心位置が鏡筒の中心軸とほぼ同じ高さになるように、鏡筒の側面部分に取り付けられていることが好ましい。【００１４】
差込み部は、切り欠きの上側又は下側の少なくとも一方に形成されており、また基板保持部は、差込み部に対応して各差込み口が鏡筒よりも上側又は下側の少なくとも一方に位置するように、鏡筒の側面部分に取り付けられていることが好ましい。【００１５】
各コネクタは、差込み口が筐体の開口に対面する第１位置と、差込み口が開口に対して傾斜する第２位置との間で回動するように、配線基板に回動自在に取り付けられていることが好ましい。【００１６】
各コネクタは、各回路基板の表面が光軸とほぼ平行となる向きで、ほぼ同一面となるように、各回路基板を保持することが好ましい。【００１７】
蓋は、筐体に回動自在に取り付けられ、開口を露呈させて各回路基板の着脱を可能にする開き位置と、開口を塞ぐ閉じ位置との間で移動することが好ましい。【００１８】
各回路基板は、ソフトウェアによって任意の電子回路を設定することができる回路設定可能部を有し、形状及び電気的構成が共通の基板であることが好ましい。【００１９】
撮影光学系は、フォーカスレンズ、変倍レンズ、補正レンズ、リレーレンズ、絞りを有することが好ましい。【００２０】
複数の回路基板は、フォーカスレンズを移動して焦点調節を行うためのフォーカス制御回路、変倍レンズ及び補正レンズを移動して倍率調節を行うためのズーム制御回路、絞りを制御するためのアイリス制御回路のいずれか１つの電子回路に設定されていることが好ましい。
【発明の効果】
【００２１】
本発明のテレビレンズ装置では、蓋を開けて露呈させた開口を通して、各回路基板を基板保持部に対して簡単に着脱操作をすることができる。そして、各回路基板を基板保持部に装着すると、基板保持部によって各回路基板が電気的に接続されるので、各回路基板同士をケーブルなどで接続する必要もなく、こうした配線の手間を省くこともできる。
【図面の簡単な説明】
【００２２】
【図１】本発明のテレビレンズ装置の第１実施形態を示す斜視図である。
【図２】蓋が開かれた状態にある第１実施形態の斜視図である。
【図３】筐体内の鏡筒を示す斜視図である。
【図４】テレビレンズ装置の断面図である。
【図５】テレビレンズ装置の電気的構成を示すブロック図である。
【図６】回路基板を挿入する状態を示す断面図である。
【図７】回路基板をセットした状態を示すテレビレンズ装置の断面図である。
【図８】コネクタを回動自在とした第２実施形態を示す斜視図である。
【図９】コネクタが第１位置にある状態を示す説明図である。
【図１０】コネクタが第２位置にある状態を示す説明図である。
【図１１】鏡筒の接線方向に回路基板を挿入する第３実施形態を示す斜視図である。
【発明を実施するための形態】
【００２３】
［第１実施形態］
図１に示すように、テレビレンズ装置１０は、被写体像の結像を行う撮影光学系１１と、撮影光学系１１を保持する鏡筒１２と、鏡筒１２を収納する筐体１３と、テレビレンズ装置１０をテレビカメラ装置（図示せず）に着脱自在に取り付けるためのマウント部１４とを備えている。
【００２４】
撮影光学系１１は、複数のレンズ群と絞りなどによって構成されている。鏡筒１２は円筒状をしている（図３参照）。筐体１３は、四角筒状をしており、鏡筒１２とほぼ同一の長さである。筐体１３は、その両端から撮影光学系１１の入射端と出射端とが露呈するように、鏡筒１２の外周面を覆っている。
【００２５】
図２に示すように、筐体１３の内部には、基板保持部１５が設けられている。基板保持部１５は、鏡筒１２と筐体１３との間に形成される隙間に配置されている。基板保持部１５は、テレビレンズ装置１０の制御を行うための第１〜第４の回路基板２１〜２４を着脱自在に保持する。各回路基板２１〜２４は、ほぼ同一の形状をしている。基板保持部１５は、各回路基板２１〜２４を、撮影光学系１１の光軸と交叉する向きで、光軸方向に並べた状態で保持している。
【００２６】
筐体１３の側面には、基板保持部１５を露呈させるための開口１６が設けられている。この開口１６は、矩形状をしており、基板保持部１５に対して各回路基板２１〜２４を着脱するに充分な大きさをしている。また、筐体１３には、ヒンジを介して回動自在な蓋１７が取り付けられている。この蓋１７は、開口１６を露呈させて各回路基板２１〜２４の着脱を可能にする開き位置と、開口１６を閉鎖する閉じ位置との間で移動する。
【００２７】
基板保持部１５に保持された各回路基板２１〜２４は、筐体１３、及び閉じ位置にある蓋１７に覆われて保護される。そして、各回路基板２１〜２４に故障などが生じた場合には、蓋１７を開き位置に移動させることで、開口１６を通して各回路基板２１〜２４の着脱を容易に行うことができる。なお、蓋１７は、ネジ止めなどによって閉じ位置にロックすることが好ましい。
【００２８】
図３に示すように、鏡筒１２は、前部１２ａと後部１２ｂとを有している。この後部１２ｂは、前部１２ａよりも径が小さい。この鏡筒１２の形状は、撮影光学系１１を構成する各レンズは、出射端側に向かって小さくなっていくことに起因している。後部１２ｂの端部には、筐体１３の内部に保持された際に、マウント部１４の一部を構成するマウントフレーム１８が設けられている。
【００２９】
基板保持部１５は、径が小さな後部１２ｂの側面部分に取り付けられているため、回路基板２１〜２４のサイズを大きくすることが可能であり、また回路基板２１〜２４の出し入れも容易である。
【００３０】
図３及び図４に示すように、第１の回路基板２１は、矩形の一方の長辺に、後部１２ｂの径に応じたほぼ半円形の切り欠き２１ａが形成されている。また、第１の回路基板２１の中央付近から、基板保持部１５に挿入される矩形状の差込み部２１ｂが突出している。この差込み部２１ｂには、基板保持部１５との電気的な接続に用いられる複数の電極が設けられている。第２の回路基板２２〜第４の回路基板２４は、第１の回路基板２１と同様な構成であるので、その説明は省略する。
【００３１】
基板保持部１５は、各回路基板２１〜２４のそれぞれに対応して設けられた４つのコネクタ３０と、これらの各コネクタ３０を支持する矩形状の配線基板３１とで構成されている。各コネクタ３０は、各回路基板２１〜２４の差込み部２１ｂ〜２４ｂが差し込まれる差込み口３０ａを有し、この差込み口３０ａへの差し込みによって各回路基板２１〜２４が電気的に接続されるとともに、機械的に保持される。各コネクタ３０は、差込み口３０ａの長辺が平行に並ぶように、配線基板３１に一定の間隔で取り付けられている。
【００３２】
配線基板３１には、各コネクタ３０に差し込まれた各回路基板２１〜２４を電気的に接続するための配線回路が設けられている。これにより、各回路基板２１〜２４の差込み部２１ｂ〜２４ｂを各コネクタ３０の差込み口３０ａに差し込むだけで、各回路基板２１〜２４の取り付けを行うことができるとともに、各回路基板２１〜２４同士の配線も行うことができる。
【００３３】
配線基板３１の四隅には、ほぼ円形の貫通孔が設けられている。鏡筒１２の後部１２ｂには、開口１６に向かって突出するように形成された４本のボス３２が形成されている。基板保持部１５は、配線基板３１の各貫通孔を各ボス３２に嵌め込むことによって、鏡筒１２の後部１２ｂの側面部分に取り付けられる。この状態では、各コネクタ３０が光軸方向に並び、また各差込み口３０ａが開口１６と対面するとともに、各差込み口３０ａの中心の位置が鏡筒１２の中心軸とほぼ同じ高さになる。
【００３４】
これにより、基板保持部１５は、各回路基板２１〜２４の表面が撮影光学系１１の光軸とほぼ直交し、かつ各切欠き２１ａ〜２４ａが鏡筒１２の外周に嵌まった状態で、光軸方向に並んでいる各回路基板２１〜２４を保持する。
【００３５】
図５に示すように、撮影光学系１１は、焦点調節を行うためのフォーカスレンズ群４０と、倍率調節を行うための変倍レンズ群４１ａ及び補正レンズ群４１ｂと、光量調節を行うための絞り４２と、結像された被写体像をテレビカメラ装置に伝達するためのリレーレンズ群４３とを有している。各レンズ群４０、４１ａ、４１ｂ、４３は、１枚のレンズで簡略に示してあるが、実際には複数枚のレンズによって構成されている。もちろん、各レンズ群４０、４１ａ、４１ｂ、４３は、１枚のレンズでもよい。
【００３６】
周知のように、フォーカスレンズ群４０、変倍レンズ群４１ａ、補正レンズ群４１ｂは、各レンズホルダを介して鏡筒１２内に移動可能に保持されている。焦点調節時には、フォーカスレンズ群４０が光軸方向へ移動して、撮影距離に応じて撮影光学系１１の焦点を調節する。倍率調節時には、変倍レンズ４１ａが焦点距離に応じて光軸上を移動し、それによるピントのずれを補正するように補正レンズ４１ｂが移動する。
【００３７】
テレビレンズ装置１０には、フォーカスリング又はネジ軸を介して、フォーカスレンズ群４０を光軸方向に移動させるフォーカスモータ４４と、フォーカスレンズ群４０の位置を検出するためのフォーカスセンサ４５とを有する。また、変倍レンズ群４１ａと補正レンズ群４１ｂとを光軸方向に移動させるズームモータ４６と、それらの位置を検出するためのズームセンサ４７とが設けられている。更に、絞り４２を駆動するアイリスモータ４８と、絞り４２の調節量を検出するためのアイリスセンサ４９とが設けられている。各モータ４４、４６、４８、及び各センサ４５、４７、４９は、鏡筒１２内に取り付けられている。また、各モータ４４、４６、４８、及び各センサ４５、４７、４９は、それぞれ配線基板３１に電気的に接続されている。
【００３８】
周知のように、テレビカメラ装置を回転可能に支持するカメラ台には、焦点調節を行うための外部操作部であるフォーカスデマンド部５０と、倍率調節を行うための操作部材であるズームデマンド部５１とが取り付けられている。これらのフォーカスデマンド部５０とズームデマンド部５１とは、コネクタやケーブルなどを介してテレビレンズ装置１０に接続されている。なお、フォーカスデマンド部５０とズームデマンド部５１とをテレビカメラ装置に接続してもよい。この場合には、テレビカメラ装置は、マウント部１４の接点及び配線を介して、テレビレンズ装置１０内の配線基板３１に接続される。
【００３９】
フォーカスデマンド部５０には、回動自在な操作ノブ（図示せず）を有する。この操作ノブの回転操作量、及び操作方向に応じたフォーカス指令信号を発生し、そのフォーカス指令信号をテレビレンズ装置１０に入力する。ズームデマンド部５１には、基準位置から両方向に回動可能なサムリング（図示せず）を有する。ズームデマンド部５１は、サムリングの回転操作の操作量、及び操作方向に応じたズーム指令信号を発生し、そのズーム指令信号をテレビレンズ装置１０に入力する。
【００４０】
各回路基板２１〜２４には、回路設定可能部２１ｃ〜２４ｃが設けられている。回路設定可能部２１ｃ〜２４ｃは、ＦＰＧＡなどのプログラマブルロジックデバイス、及びＥＥＰＲＯＭなどの書き換え可能な不揮発性メモリなどからなり、ソフトウェアによって任意の電子回路（機能回路）に設定することが可能である。
【００４１】
各回路基板２１〜２４は、形状及び電気的構成が同一に構成された共通回路基板である。テレビレンズ装置１０では、各回路基板２１〜２４の回路設定可能部２１ｃ〜２４ｃを、それぞれ異なる電子回路に設定することで、各回路基板２１〜２４のそれぞれに異なる機能を与えるようにしている。
【００４２】
このように各回路基板２１〜２４を共通仕様にすれば、専用の回路基板を個別に準備する場合に比べて製造コストを抑えることができる。また、回路設定可能部２１ｃ〜２４ｃの電子回路を変更するだけで、機能の追加や変更を容易に行うこともできる。さらには、１枚の新たな回路基板を用意しておくだけで、各回路基板２１〜２４のいずれの故障にも対応することができるので、テレビレンズ装置１０のメンテナンス費を抑えることもできる。
【００４３】
第１の回路基板２１の回路設定可能部２１ｃは、撮影光学系１１の焦点調節の制御を行うフォーカス制御回路５４に設定されている。第２の回路基板２２の回路設定可能部２２ｃは、撮影光学系１１の倍率調節の制御を行うズーム制御回路５５に設定されている。第３の回路基板２３の回路設定可能部２３ｃは、撮影光学系１１の絞り４２の制御を行うアイリス制御回路５６に設定されている。第４の回路基板２４の回路設定可能部２４ｃは、フォーカスデマンド回路５７とズームデマンド回路５８とに設定されている。
【００４４】
各回路基板２１〜２４は、配線基板３１を介して電気的に相互に接続されている。第４の回路基板２４は、配線基板３１を介してフォーカスデマンド部５０及びズームデマンド部５１に電気的に接続されている。フォーカスデマンド回路５７は、フォーカスデマンド部５０からのフォーカス指令信号を受け付けて、そのフォーカス指令信号を第１の回路基板２１のフォーカス制御回路５４に入力する。ズームデマンド回路５８は、ズームデマンド部５１からのズーム指令信号を受け付けて、そのズーム指令信号を第２の回路基板２２のズーム制御回路５５に入力する。
【００４５】
第１の回路基板２１は、配線基板３１を介してフォーカスモータ４４及びフォーカスセンサ４５に電気的に接続されている。フォーカス制御回路５４は、フォーカスセンサ４５の検出結果、及びフォーカスデマンド回路５７からのフォーカス指令信号に応じてフォーカスモータ４４を駆動し、フォーカスレンズ群４０を光軸方向に移動させることによって、撮影光学系１１の焦点調節を行う。
【００４６】
第２の回路基板２２は、配線基板３１を介してズームモータ４６及びズームセンサ４７に電気的に接続されている。ズーム制御回路５５は、ズームセンサ４７の検出結果、及びズームデマンド回路５８からのズーム指令信号に応じてズームモータ４６を駆動し、変倍レンズ群４１ａと補正レンズ群４１ｂとを光軸方向にそれぞれ移動させることによって、撮影光学系１１の倍率調節を行う。
【００４７】
テレビレンズ装置１０を使用する場合には、テレビレンズ装置１０をテレビカメラ装置の前に装着するとともに、ケーブルなどを介してフォーカスデマンド部５０とズームデマンド部５１に接続する。そして、フォーカスデマンド部５０の操作ノブやズームデマンド部５１のサムリングなどを操作して、焦点調節、倍率調節、光量調節などを行う。
【００４８】
例えば、第１の回路基板２１が故障した場合には、共通設計された新たな回路基板の回路設定可能部にフォーカス制御回路５４を設定することにより、新たな第１の回路基板２１を作成する。この後、テレビレンズ装置１０の蓋１７を閉じ位置から開き位置に移動させ、開口１６を介して故障した第１の回路基板２１を基板保持部１５から引き抜く。そして、新たに作成した第１の回路基板２１の差込み部２１ｂを対応するコネクタ３０の差込み口３０ａに差し込むことによって、新たな第１の回路基板２１を基板保持部１５に接続する。
【００４９】
このように、テレビレンズ装置１０では、蓋１７を開くことで、開口１６を介して各回路基板２１〜２４の着脱を容易に行うことができる。そして、各回路基板２１〜２４を基板保持部１５に保持させると、配線基板３１によって各回路基板２１〜２４が電気的に相互に接続されるので、各回路基板２１〜２４同士をケーブルなどで接続する必要もなく、こうした配線の手間も省くことができる。
【００５０】
上記実施形態では、各回路基板２１〜２４の切欠き２１ａ〜２４ａの中央付近に差込み部２１ｂを形成しているが、図６及び図７に示す回路基板６０、基板保持部６１のようにしてもよい。この回路基板６０には、ほぼ半円形の切り欠き６０ａが形成され、この切り欠き６０ａが形成されていない下部の部分を長く突出させて、矩形状の差込み部６０ｂとしている。
【００５１】
基板保持部６１は、上記実施形態と同様に、コネクタ６２と配線基板６３とで構成されている。コネクタ６２には、差込み部６０ｂの形状に応じた矩形状の差込み口が設けられている。基板保持部６１は、コネクタ６２の差込み口の長手方向が上下方向を向くとともに、差込み口が鏡筒１２よりも下側に位置し、かつ差込み口が開口１６と対面するように、ボス６４を介して鏡筒１２の後部１２ｂの側面部分に取り付けられている。
【００５２】
このように構成された基板保持部６１も、撮影光学系１１の光軸と回路基板６０の表面とがほぼ直交する方向に向いており、切り欠き６０ａ内に鏡筒１２の一部が入り込む。したがって、この回路基板６０及び基板保持部６１でも、前述した実施形態と同様の効果を得ることができる。
【００５３】
なお、図６及び図７の例では、切り欠き６０ａの下側に差込み部６０ｂを形成し、鏡筒１２の下側に差込み口が位置するように基板保持部６１を配置しているが、これとは反対に、切り欠き６０ａの上側に差込み部６０ｂを形成するとともに、鏡筒１２の上側に差込み口が位置するように基板保持部６１を配置してもよい。さらには、切り欠き６０ａの上下に差込み部６０ｂを設け、鏡筒１２の上下に差込み口が位置するように、２つの基板保持部６１を設けてもよい。
【００５４】
上記実施形態では、各回路基板２１〜２４に略半円形の切り欠き２１ａ〜２４ａを形成しているが、切り欠き２１ａ〜２４ａの形状は、鏡筒１２の一部が入り込むことが可能であれば、円弧状、Ｕ字状、多角形状など任意の形状でよい。
【００５５】
［第２実施形態］
次に、図８ないし図１０を参照して、本発明の第２の実施形態について説明する。なお、上記第１の実施形態と機能及び構造が同じのものには、同じ符号を付してその説明を省略する。回路基板７０は、矩形状をしている。板状の回路基板７０の一辺には、複数の電極を有する差込み部７０ａが形成されている。
【００５６】
基板保持部７１は、４つのコネクタ７２と、配線基板７３とで構成されている。各コネクタ７２には、回路基板７０の差込み部７０ａの形状に応じた矩形状の差込み口７２ａが設けられている。各コネクタ７２の両端には、回転軸７２ｂが設けられている。各回転軸７２ｂは、配線基板７３に設けられた一対のフランジの貫通孔に回動自在に嵌合する。各コネクタ７２は、一対のフランジ７４によって回動自在に支持され、差込み口７２ａの長辺が平行に並ぶように配線基板７３に取り付けられている。
【００５７】
配線基板７３の四隅には、貫通孔７３ａが設けられている。図９に示すように、鏡筒１２の側面には、各貫通孔７３ａに対応する位置に、ボス７５が設けられている。基板保持部７１は、配線基板７３の各貫通孔７３ａを各ボス７５に嵌め込むことによって、各コネクタ７２が光軸方向に並び、各差込み口７２ａが開口１６と対面するとともに、各差込み口７２ａの中心の位置が鏡筒１２の中心軸とほぼ同じ高さとなるように、鏡筒１２の後部１２ｂの側面部分に取り付けられる。
【００５８】
各コネクタ７２は、フランジ７４を介して回動自在に配線基板７３に支持され、図９に示すように、差込み口７２ａを開口１６に対面させる第１位置と、図１０に示すように、差込み口７２ａを開口１６に対して傾斜する第２位置との間で回動する。
【００５９】
基板保持部７１に回路基板７０を取り付ける場合には、蓋１７を開いてから、コネクタ７２を第１位置に戻す。そして、基板保持部７１に回路基板７０を差し込んでから、コネクタ７２を第２位置に移動して回路基板７０を筐体１３内に収納する。最後に、蓋１７を閉じる。
【００６０】
このように、回路基板７０を傾斜して収納すると、鏡筒１２と筐体１３との間に形成される隙間よりも長い幅の回路基板７０を使用できるから、鏡筒１２と筐体１３との間の隙間を有効的に活用することができる。そして、回路基板７０の着脱時には、コネクタ７２を第１位置に戻すことで、開口１６と直交する方向に回路基板７０を出し入れすることができるので、回路基板７０の着脱も容易である。
【００６１】
［第３実施形態］
次に、図１１に示す本発明の第３の実施形態について説明する。回路基板８０は矩形状をしており、複数の電極を有する差込み部８０ａが一方の短辺に形成されている。
【００６２】
基板保持部８１は、配線基板８３と、この上に取り付けられた４個のコネクタ８２とで構成されている。各コネクタ８２には、回路基板８０の差込み部８０ａの形状に応じた矩形状の差込み口８２ａが設けられている。各コネクタ８２は、その差込み口８２ａが配線基板８３の表面と平行な方向を向き、かつ各差込み口８２ａが一列に並ぶように配線基板８３に取り付けられている。
【００６３】
配線基板８３の四隅には貫通孔が設けられており、鏡筒１２上の各ボス８４に嵌め込むことによって、配線基板８３が鏡筒１２の後部１２ｂの側面上部で接線方向に取り付けられる。各差込み口８２ａが開口１６と対面した状態で、各コネクタ８２が光軸方向に並んでいる。
【００６４】
この第３実施形態でも、第１の実施形態と同様の効果を得ることができる。基板保持部８１が鏡筒１２の上側に配置されているが、鏡筒１２の下側に配置してもよい。さらには、鏡筒１２の上下に基板保持部８１をそれぞれ設けてもよい。
【００６５】
上記各実施形態では、回路基板にフォーカス制御回路５４やズーム制御回路５５が形成されているが、その他の電子回路を形成してもよい。例えば、複数の変倍レンズの中で選択したものを光軸上にセットして倍率を変化させるエクステンダ機構が用いられている場合には、このエクステンダ機構の倍率の変化を制御するエクステンダ制御回路が回路基板に形成される。
【００６６】
さらには、各回路基板上のフォーカス制御回路５４やズーム制御回路５５などが正常に動作しているか否かを診断する診断回路や、テレビレンズ装置をインターネットなどのネットワークに接続するネットワーク接続回路を設け、診断回路の診断結果がネットワークを介して外部のサーバなどに送信できるようにしてもよい。こうすると、例えば、スタジオなどに設置されたテレビレンズ装置の各回路基板の動作状態や故障の発生をメーカ側で管理できるようになり、メンテナンス性を向上させることができる。なお、診断回路とネットワーク接続回路とは、着脱自在な回路基板に設ける代わりに、筐体内に固定配置される回路基板に設けてもよい。
【００６７】
上記各実施形態では、複数のコネクタを基板保持部に設け、複数枚の回路基板をコネクタに直接差し込むことによって、各回路基板を基板保持部に保持させているが、各回路基板の保持方法は、これに限られるものではない。例えば、各回路基板を保持可能なアダプタを用い、これをテレビレンズ装置の基板保持部に保持させる。このように、アダプタを介して各回路基板と基板保持部との電気的及び機械的な接続を得るようにしてもよい。
【００６８】
回路基板の枚数は、４枚に限ることなく、１〜３枚でもよいし、５枚以上でもよい。また、上記各実施形態では、各回路基板をそれぞれ共通の電子回路とし、用途に応じて機能を変更しているが、機能毎に別個に設計された専用の回路基板でもよい。
【００６９】
上記各実施形態では、光軸方向を軸に回動する蓋１７を示しているが、蓋１７の回転軸の向きは任意の方向でよい。また、蓋１７は、ヒンジを軸に回動するものに限らず、例えばスライドによって開き位置と閉じ位置との間で移動するものでもよい。さらに、蓋１７は、筐体１３に取り付けられて開口１６を塞ぐとともに、筐体１３から取り外されて開口１６を露呈させる着脱式のものでもよい。
【００７０】
上記各実施形態では、円筒形状の鏡筒１２を示したが、鏡筒１２の形状は角筒や楕円筒などでもよい。この際、後部１２ｂは、前部１２ａよりも細い形状であればよい。
【符号の説明】
【００７１】
１０  テレビレンズ装置
１１  撮影光学系
１２  鏡筒
１３  筐体
１５  基板保持部
１６  開口
１７  蓋
２１〜２４  回路基板
２１ａ〜２４ａ  切り欠き
２１ｂ〜２４ｂ  差込み部
２１ｃ〜２４ｃ  回路設定可能部
３０  コネクタ
３０ａ  差込み口
３１  配線基板
【図１】
2013035637.tif 000003
【図２】
2013035637.tif 000004
【図３】
2013035637.tif 000005
【図４】
2013035637.tif 000006
【図５】
2013035637.tif 000007
【図６】
2013035637.tif 000008
【図７】
2013035637.tif 000009
【図８】
2013035637.tif 000010
【図９】
2013035637.tif 000011
【図１０】
2013035637.tif 000012
【図１１】
2013035637.tif 000013
【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
（削除）
【請求項２】
被写体像の結像を行う撮影光学系と、前記撮影光学系を保持する鏡筒と、前記撮影光学系及び前記鏡筒を覆って保護する筐体とを備えたテレビレンズ装置において、
前記テレビレンズ装置を制御するための複数枚の回路基板であって、ほぼ板状で、その一辺に前記鏡筒の形状に応じた切り欠きが形成され、前記切り欠きの中央付近に差込み部が設けられた複数枚の回路基板と、
前記鏡筒と前記筐体との間に形成される隙間内に前記複数の回路基板が収納されるように、複数枚の回路基板を着脱自在に保持するための基板保持部であって、前記差込み部が差し込まれる差込み口を有し、前記撮影光学系の光軸に沿って並べた状態で取り付けられた複数のコネクタと、前記各コネクタに差し込まれた前記各回路基板に電気的に接続される配線基板とを有し、前記各差込み口の中心位置が前記鏡筒の中心軸とほぼ同じ高さになるように前記鏡筒の側面部分に取り付けられた基板保持部と、
前記基板保持部に前記複数枚の回路基板を着脱可能にするために、前記筐体に形成された開口と、
前記開口を開閉するための蓋と、
を備えることを特徴とするテレビレンズ装置。
【請求項３】
前記鏡筒は、径が大きい前部と径が小さい後部とを有する円筒であり、この後部に前記基板保持部が取り付けられており、
前記筐体は角筒をしている
ことを特徴とする請求項２記載のテレビレンズ装置。
【請求項４】
前記コネクタは、前記光軸に対してほぼ直交する状態で、前記回路基板を保持することを特徴とする請求項２記載のテレビレンズ装置。
【請求項５】
（削除）
【請求項６】
（削除）
【請求項７】
（削除）
【請求項８】
前記各コネクタは、前記差込み口を前記開口に対面させる第１位置と、前記差込み口を前記開口に対して傾斜させる第２位置との間で回動するように、前記配線基板に回動自在に取り付けられていることを特徴とする請求項２記載のテレビレンズ装置。
【請求項９】
前記各コネクタは、前記各回路基板の表面が前記光軸にほぼ平行となる向きで、ほぼ同一面となるように、前記各回路基板を保持することを特徴とする請求項２記載のテレビレンズ装置。
【請求項１０】
前記蓋は、前記筐体に回動自在に取り付けられ、前記開口を露呈させて前記各回路基板の着脱を可能にする開き位置と、前記開口を塞ぐ閉じ位置との間で移動することを特徴とする請求項２記載のテレビレンズ装置。
【請求項１１】
前記各回路基板は、ソフトウェアによって任意の電子回路を設定することができる回路設定可能部を有し、形状及び電気的構成が共通の基板であることを特徴とする請求項２ないし１０のいずれか１項記載のテレビレンズ装置。
【請求項１２】
前記撮影光学系は、フォーカスレンズ、変倍レンズ、補正レンズ、リレーレンズ、絞りを有することを特徴とする請求項１１記載のテレビレンズ装置。
【請求項１３】
前記複数の回路基板は、前記フォーカスレンズを移動して焦点調節を行うためのフォーカス制御回路、前記変倍レンズ及び補正レンズを移動して倍率調整を行うためのズーム制御回路、前記絞りを制御するためのアイリス制御回路のいずれか１つの電子回路に設定されていることを特徴とする請求項１２記載のテレビレンズ装置。
【請求項１４】
前記各回路基板は、形状及び電気的構成が同一に構成された共通回路基板である請求項２記載のテレビレンズ装置。
【手続補正２】
【補正対象書類名】明細書
【補正対象項目名】０００２
【補正方法】変更
【補正の内容】
【０００２】
［０００６］
特許文献１：特開２００８−１２４９１３号公報
発明の概要
発明が解決しようとする課題
［０００７］
特許文献１に記載されているように、テレビレンズ装置の筐体は、箱形（角筒）をしており、鏡筒の外周面の全体を覆っている。各回路基板は、鏡筒と筐体との間に形成される隙間に収納するために、鏡筒の側面に取り付けられている。このため、回路基板が故障した場合には、回路基板とともに鏡筒を筐体から取り出さなければならず、必ずしも作業性の良いものではなかった。また、各回路基板を鏡筒の側面に取り付けた後、各回路基板同士をケーブルなどで接続して配線しているために、配線の作業も非常に煩わしいものであった。
［０００８］
本発明は、回路基板の着脱及び配線を容易に行うことができるテレビレンズ装置を提供することを目的とする。
課題を解決するための手段
［０００９］
上記目的を達成するため、本発明のテレビレンズ装置は、複数枚の回路基板と、基板保持部と、筐体の開口と、この開口を開閉する蓋とを備えている。筐体は、撮影光学系を保持する鏡筒を収納している。この鏡筒と筐体との間に形成される隙間内に、複数の回路基板が収納される。各回路基板は、基板保持部に電気的に接続されるとともに、着脱自在に保持される。開口は、各回路基板を基板保持部から着脱可能にしている。
［００１０］
各回路基板は、ほぼ板状をしており、その一辺に鏡筒の形状に応じた切り欠きが形成され、その切り欠きの中央付近に差込み部を有する。また、基板保持部は、差込み部が差し込まれる差込み口を有し、撮影光学系の光軸に沿って並べた状態で取り付けられた複数のコネクタと、各コネクタに差し込まれた回路基板に電気的に接続する配線基板とを有する。そして基板保持部は、各コネクタの差込み口の中心位置が鏡筒の中心軸とほぼ同じ高さになるように鏡筒の側面部分に取り付けられる。
［００１１］
鏡筒は、径が大きい前部と径が小さい後部とを有する円筒形をしており、この後部に基板保持部が取り付けられていることが好ましい。また、筐体は角筒をしていることが好ましい。
【手続補正３】
【補正対象書類名】明細書
【補正対象項目名】０００３
【補正方法】変更
【補正の内容】
【０００３】
［００１２］
コネクタは、撮影光学系の光軸に対してほぼ直交する状態で、回路基板を保持することが好ましい。各回路基板には、鏡筒の形状に応じた切り欠きが形成されていることが好ましい。
［００１３］
［００１４］
［００１５］
各コネクタは、差込み口が筐体の開口に対面する第１位置と、差込み口が開口に対して傾斜する第２位置との間で回動するように、配線基板に回動自在に取り付けられていることが好ましい。
［００１６］
各コネクタは、各回路基板の表面が光軸とほぼ平行となる向きで、ほぼ同一面となるように、各回路基板を保持することが好ましい。
［００１７］
蓋は、筐体に回動自在に取り付けられ、開口を露呈させて各回路基板の着脱を可能にする開き位置と、開口を塞ぐ閉じ位置との間で移動することが好ましい。
［００１８］
各回路基板は、ソフトウェアによって任意の電子回路を設定することができる回路設定可能部を有し、形状及び電気的構成が共通の基板であることが好ましい。
［００１９］
撮影光学系は、フォーカスレンズ、変倍レンズ、補正レンズ、リレーレンズ、絞りを有することが好ましい。
［００２０］
複数の回路基板は、フォーカスレンズを移動して焦点調節を行うためのフォーカス制御回路、変倍レンズ及び補正レンズを移動して倍率調節を行うためのズーム制御回路、絞りを制御するためのアイリス制御回路のいずれか１つの電子回路に設定されていることが好ましい。
発明の効果
【国際調査報告】
2013035637.tif 000014
2013035637.tif 000015
2013035637.tif 000016
2013035637.tif 000017